【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  複数の光変調画素が配列された１次元光変調器によって、レーザ光を変調して、ホログラム記録媒体にディジタルデータ信号を記録すると共に、上記光変調画素の一部によって、所定の間隔を保持して２箇所以上にシンク信号を記録することを特徴とするホログラム記録方法。
【請求項２】  ディジタルデータの記録部と、所定の間隔をもって２箇所以上に形成されたシンク信号の記録部と有するホログラム記録媒体に、参照光を照射して、上記ディジタルデータと上記シンク信号とを読み出し、該シンク信号によって、上記ディジタルデータ信号の位置ずれを検出することを特徴とするホログラム記録の再生方法。
【請求項３】  レーザ光源と、
該レーザ光源からのレーザ光を、第１のレーザ光と、第２のレーザ光とに分割する分割手段と、
複数の光変調画素が配列された１次元光変調器と、
ホログラム記録媒体の配置部とを有し、
上記１次元光変調器の一部の光変調画素によって、上記第１のレーザ光の一部を、ディジタルデータ信号により光変調すると共に、上記１次元光変調器の他の少なくとも一部の２箇所以上の光変調画素によって上記第１のレーザ光の他の少なくとも一部をシンク信号により、光変調してレーザ光による信号光を得、
該信号光と、上記第２のレーザ光による参照光とを、ホログラム記録媒体に照射して、該ホログラム記録媒体に、上記ディジタルデータ信号による記録部と、所定の間隔を有する２箇所以上のシンク信号による記録部とを形成することを特徴とするホログラム記録再生装置。
【請求項４】  請求項３に記載のホログラム記録再生装置において、
上記１次元光変調器の上記光変調画素の数より多い光検出素子を有する少なくとも１次元光ディテクタが設けられ、
上記ディジタルデータ信号による記録部と２箇所以上のシンク信号による記録部とを有するホログラム記録媒体に、上記参照光を照射して、該ホログラム記録媒体から得た再生光を、上記１次元光ディテクタの上記光検出素子によって受光し、上記ディジタルデータ信号と、上記シンク信号とを検出して、該シンク信号によって、上記ディジタルデータ信号の位置ずれを検出することを特徴とするホログラム記録再生装置。
【請求項５】  上記１次元光変調器は、複数の反射リボンが配列され、該反射リボンの変位によって該反射リボンに到来するレーザ光を位相変調する回折格子構造による光変調器によることを特徴とする請求項３または４に記載のホログラム記録再生装置。
【請求項６】  レーザ光源と、
複数の光検出素子が配列されて成る光ディテクタと、
ディジタルデータ信号の記録部と２箇所以上のシンク信号の記録部とを有するホログラム記録媒体を配置する配置部とを有し、
上記配置部に配置された上記ホログラム記録媒体に、上記レーザ光源からのレーザ光による参照光を照射して、
該ホログラム記録媒体に記録された上記ディジタルデータ信号と、上記シンク信号とを含む再生光を得、該再生光を上記光ディテクタによって検出し、上記シンク信号によって上記ディジタルデータ信号の位置ずれを検出することを特徴とするホログラム再生装置。
【手続補正２】
【補正対象書類名】明細書
【補正対象項目名】０００４
【補正方法】変更
【補正の内容】
【０００４】
図１１は、複数の光変調画素すなわち変調ピクセルＰ１ ，Ｐ２ ，Ｐ３ ・・・Ｐｎ を有する１次元光変調器１０１と、１次元光ディテクタ１０２との配置関係を模式的に示したもので、この場合、１次元光ディテクタ１０２の各検出素子Ｄ１ ，Ｄ２ ，Ｄ３ ・・・Ｄｎは、１次元光変調器１０１の光変調画素数と、１次元光ディテクタ１０２の検出素子とは、同数に、例えばｎ＝１０８８に選定された状態を示している。
ところが、このような構成による場合、例えば光変調器１によって変調された信号“１”“０”が、光のオン、オフとして与えられるディジタルデータである場合、例えば１次元光変調器１０１による変調が、光変調画素Ｐ１ ，Ｐ２ ，Ｐ３ ・・・Ｐｎ において１つ置きに例えば、信号“１”が与えられ、他の１つ置きに例えば、信号“０”の情報が与えられる場合等において、１次元光変調器１０１の光変調画素Ｐ（Ｐ１ ，Ｐ２ ，Ｐ３ ・・・Ｐｎ ）と、１次元光ディテクタ１０２の検出素子（Ｄ１ ，Ｄ２ ，Ｄ３ ・・・Ｄｎ）とが、例えば半個分づつずれた場合、“１”と“０”が半分１つの検出素子に入ることから、全く明暗（白黒）像が得られず例えば単一灰色となり、情報の検出がなされないことになる。
【手続補正３】
【補正対象書類名】明細書
【補正対象項目名】０００９
【補正方法】変更
【補正の内容】
【０００９】
また、本発明によるホログラム再生方法は、ディジタルデータの記録部と、所定の間隔をもって２箇所以上に形成されたシンク信号の記録部とを有するホログラム記録媒体に、参照光を照射して、ディジタルデータとシンク信号とを読み出し、シンク信号によって、ディジタルデータ信号の位置のずれを検出する。
【手続補正４】
【補正対象書類名】明細書
【補正対象項目名】００１５
【補正方法】変更
【補正の内容】
【００１５】
〔ホログラム記録再生装置〕
図１で示す例においては、ホログラム記録媒体１として、光透過型のホログラム記録媒体が用いられた場合である。
そして、この例においては、ホログラム記録装置部２と、ホログラム再生装置部３とを有する。
ホログラム記録装置部２は、レーザ光源１０と、ビームエキスパンダ１１と、ビーム分割手段としてのハーフミラー１２と、シリンドリカルレンズ１３と、１次元光変調器１４と、第１のレンズ系２１と、この第１のレンズ系２１の焦点近傍に配置されたピンホール１５Ｈ を有する遮蔽体１５と、第２のレンズ系２２と、ホログラム記録媒体１の配置部と、第３のレンズ系２３とを有して成る。
ホログラム再生装置部３は、第４のレンズ系２４と、１次元光ディテクタ１６とを有して成る。
【手続補正５】
【補正対象書類名】明細書
【補正対象項目名】００２２
【補正方法】変更
【補正の内容】
【００２２】
これに対し、図５Ｂの１つ置きのリボン３２の電極層３４と、対向電極３５との間に例えば“０”の信号として所要の電圧を印加することによって、λ／４の変位を生じさせた状態では、隣り合うリボン３２で反射するレーザ光が、相互に干渉し、実質的に反射光が生じることなく、これによってこのピクセルすなわち光変調画素に関しては、実質的にレーザ光が消失し、例えば“０”の“暗”の信号に変調され、このときホログラム記録媒体１において、例えば“０”の情報の記録がなされる。
【手続補正６】
【補正対象書類名】明細書
【補正対象項目名】００２７
【補正方法】変更
【補正の内容】
【００２７】
〔ホログラム再生装置〕
本発明によるホログラム再生装置の実施の形態例を、図７に示す。このホログラム再生装置は、図１で説明した、ホログラム記録再生装置におけるホログラム再生装置部３による構成とした場合である。図７において、図１に対応する部分には同一符号を付して重複説明を省略する。
【手続補正７】
【補正対象書類名】明細書
【補正対象項目名】符号の説明
【補正方法】変更
【補正の内容】
【符号の説明】
１・・・ホログラム記録媒体、２・・・ホログラム記録装置部、３・・・ホログラム再生装置部、１０・・・レーザ光源、１１・・・ビームエキスパンダ、１２・・・ハーフミラー、１３・・・シリンドリカルレンズ、１４・・・１次元光変調器、１５・・・遮蔽体、１５Ｈ ・・・ピンホール、１６・・・１次元光ディテクタ、２１，２２，２３，２４・・・第１，第２，第３，第４のレンズ系、１０１・・・１次元光変調器、１０２・・・１次元光ディテクタ、Ｌ・・・レーザ光、Ｌ１ ・・・第１のレーザ光（信号光）、Ｌ２ ・・・第２のレーザ光（参照光）、Ｌｓ・・・再生光、Ｐ（Ｐ１ ，Ｐ２ ，Ｐ３ ・・・Ｐｎ ）・・・光変調画素、Ｄ（Ｄ１ ，Ｄ２ ，Ｄ３ ，・・・ＤＮ ）・・・受光部